(57)【要約】【課題】本発明は、光ディスク装置において、データの損傷を防止するものである。【解決手段】本発明においては、前記光ディスク２の同一場所における記録状態が継続的に不良状態となったときには、前記表示手段４は、例えば一回目には汚れの清浄化指示メッセージを表示させ、次回にはデータのダビング指示メッセージを表示させる構成としたことであり、この次回メッセージを確認することで使用者は、データの修復可能な状態でダビングを行うことができ、この結果として光ディスク２のデータの損傷を防止することができるのである。【選択図】図２
2013182637.tif 000002
【特許請求の範囲】
【請求項１】
光ディスクの駆動手段と、前記駆動手段によって駆動された光ディスクからデータの読み出し、または、書き込みを行う光ピックアップ手段と、これらの光ピックアップ手段、駆動手段に接続した制御手段と、この制御手段に接続した表示手段を備え、前記制御手段は、ディスク記録状態判別部を有し、このディスク記録状態判別部は、前記光ディスクの同一場所における記録状態が継続的に不良状態となったときには、前記表示手段に異なるメッセージを表示させる構成とした光ディスク装置。
【請求項２】
制御手段のディスク記録状態判別部は、光ディスクの特定場所における記録状態が不良となったときには、表示手段に、光ディスクの清浄化指示を表示させる構成とした請求項１に記載の光ディスク装置。
【請求項３】
制御手段のディスク記録状態判別部は、光ディスクの特定場所における記録状態が複数回不良となったときには、表示手段に、光ディスクのダビング指示を表示させる構成とした請求項２に記載の光ディスク装置。
【発明の詳細な説明】
【技術分野】
【０００１】
本発明は、光ディスク装置に関するものである。
【背景技術】
【０００２】
従来の光ディスク装置は、以下のような構成となっていた。
【０００３】
すなわち、光ディスクの駆動手段と、前記駆動手段によって駆動された光ディスクからデータの読み出し、または、書き込みを行う光ピックアップ手段と、これらの光ピックアップ手段、駆動手段に接続した制御手段と、この制御手段に接続した表示手段を備え、前記制御手段は、ディスク記録状態判別部を有し、このディスク記録状態判別部は、前記光ディスクの同一場所における記録状態が継続的に不良状態となったときには、前記表示手段に不良箇所の場所を表示させる構成となっていた（下記特許文献１）。
【先行技術文献】
【特許文献】
【０００４】
【特許文献１】特開２００７−８０３４９号公報
【発明の概要】
【発明が解決しようとする課題】
【０００５】
上記従来例においては、前記光ディスクの同一場所における記録状態が継続的に不良状態となったときには、前記表示手段に不良箇所の場所を表示させる構成となっていたので、使用者は、その不良箇所を特定し、清浄化（汚れの拭き取り）を行うことができる。
【０００６】
しかしながら、光ディスクの記録状態の不良とは、その表面の汚れ以外にもこの光ディスクの形状歪み等によっても発生するものであり、このような形状歪みは、放置すれば徐々に歪みが拡大し、修復不可能な状態になってしまう。つまり、従来例の如く不良箇所を特定し、清浄化を推奨するだけでは、光ディスクのデータが徐々に劣化し、最終的には修復不可能な状態、すなわちデータが損傷してしまうのである。
【０００７】
そこで本発明は、光ディスクのデータ損傷を防止することを目的とする。
【課題を解決するための手段】
【０００８】
そして、この目的を達成するために本発明は、光ディスクの駆動手段と、前記駆動手段によって駆動された光ディスクからデータの読み出し、または、書き込みを行う光ピックアップ手段と、これらの光ピックアップ手段、駆動手段に接続した制御手段と、この制御手段に接続した表示手段を備え、前記制御手段は、ディスク記録状態判別部を有し、このディスク記録状態判別部は、前記光ディスクの同一場所における記録状態が継続的に不良状態となったときには、前記表示手段に異なるメッセージを表示させる構成とし、これにより所期の目的を達成するものである。
【発明の効果】
【０００９】
以上のように、本発明は、光ディスクの駆動手段と、前記駆動手段によって駆動された光ディスクからデータの読み出し、または、書き込みを行う光ピックアップ手段と、これらの光ピックアップ手段、駆動手段に接続した制御手段と、この制御手段に接続した表示手段を備え、前記制御手段は、ディスク記録状態判別部を有し、このディスク記録状態判別部は、前記光ディスクの同一場所における記録状態が継続的に不良状態となったときには、前記表示手段に異なるメッセージを表示させる構成としたものであるので、光ディス
クのデータ損傷を防止することができる。
【００１０】
すなわち、本発明においては、前記光ディスクの同一場所における記録状態が継続的に不良状態となったときには、前記表示手段は、例えば一回目には汚れの清浄化指示メッセージを表示させ、次回にはデータのダビング指示メッセージを表示させる構成としたものであるので、データの修復可能な状態でダビングを行うことができ、この結果として光ディスクのデータの損傷を防止することができる。
【図面の簡単な説明】
【００１１】
【図１】本発明の一実施形態における車載用光ディスク装置の構成図
【図２】同車載用光ディスク装置の制御ブロック図
【図３】同車載用光ディスク装置の表示手段を示す図
【図４】同車載用光ディスク装置の表示手段を示す図
【図５】同車載用光ディスク装置の動作フローチャート
【図６】同車載用光ディスク装置の動作フローチャート
【図７】同車載用光ディスク装置の動作フローチャート
【発明を実施するための形態】
【００１２】
以下、本発明の実施の形態を添付図面を用いて説明する。
【００１３】
（実施の形態１）
図１において、１は自動車の車内に設置される車載用光ディスク装置を示し、その前面側には光ディスク２を収納するトレイ３が出没自在に設けられている。また、車載用光ディスク装置１には、表示手段４と、スピーカ５が接続されており、これらの表示手段４とスピーカ５も車内に配置されている。
【００１４】
図２は、制御ブロックを示し、駆動手段（図示せず）で回転駆動された光ディスク２のデータは、ピックアップ手段６によって読み取られ、その読み取ったデータは、制御部７を介して表示手段４とスピーカ５に供給されるようになっている。なお、この図２において、８はピックアップ手段６のサーボ機構である。また、９は、光ディスク２の再生などを指示する操作手段である。
【００１５】
前記制御手段７は、ディスク記録状態判別部１０を有し、このディスク記録状態判別部１０によってデータ異常があると判別された場合には、読み取りエラー発生回数やそのエラー発生箇所のアドレスなどを記憶手段１１、１２に記憶させる構成となっている。なお、記憶手段１１は、ＲＡＭによって構成されたもので、電源が遮断されると記憶内容も消去されるようになっている。これに対して記憶手段１２は、例えばＥＥＰＲＯＭによって構成されたもので、電源が遮断されても記憶内容は保持し続けることができるようになっている。
【００１６】
本実施形態における特徴点は、前記光ディスク２の同一場所における記録状態が継続的に不良状態となったときには、前記表示手段４は、例えば一回目には汚れの清浄化指示メッセージを表示させ、次回にはデータのダビング指示メッセージを表示させる構成としたことであり、この次回メッセージを確認することで使用者は、データの修復可能な状態でダビングを行うことができ、この結果として光ディスク２のデータの損傷を防止することができるのである。
【００１７】
具体的には、図１において、車載用光ディスク装置１のトレイ３に光ディスク２を収納させて押し込むと（図５のＳ１）、よく知られているようにスピンアップ処理（サーボ調整、リードイン読み込み）が行われ、再生が開始される（図５のＳ２、Ｓ３）。
【００１８】
そして、この再生時において、制御手段７のディスク記録状態判別部１０は、リードエラーの発生を検出しており（図６のＳ４）、通常はリードエラーがないので、以下の検出が行われている。つまり、Ｓ４の次には、リードエラー発生により再生を停止したかを検出し（図６のＳ５）、次に、ユーザにより停止操作されたかを検出し（図６のＳ６）、その後、ユーザにより光ディスク再生モード以外が選択されたか（図７のＳ７）、次に、ユーザによりイジェクト操作されたか（図７のＳ８）、その後、記憶手段１１、１２に、読み取り不良データが存在するか否かを検出し（図７のＳ９）、次に、記憶手段１１、１２に、読み取り不良データが存在するときには図３、または、図４に示すメッセージを表示手段４に表示させ（図７のＳ１０）、その後、イジェクト動作が行われたかを検出する（図７のＳ１１）。
【００１９】
なお、図３に示したメッセージは、光ディスク２の読み取りで第１回目の読み取りエラーが発生したときの表示であって、このときには使用者に光ディスク２の清浄化メッセージとなっている。
【００２０】
また、図４に示したメッセージは、光ディスク２の読み取りで複数回の読み取りエラーが発生したときの表示であって、このときには使用者に光ディスク２のダビング推奨メッセージを示すものとなっている。
【００２１】
また、図６のＳ４においてリードエラーが発生した場合にはリードエラーの発生箇所とその特定場所におけるリードエラー発生回数が記憶手段１１に読み取り不良データとして記憶される（図６のＳ１２）。
【００２２】
次に、Ｓ５によって再生が停止した場合、あるいはＳ６においてユーザにより操作手段９によって停止操作が行われた場合には、その光ディスク２を特定し、この光ディスク２のどの箇所に、リードエラーが何回検出されたかが不揮発性の記憶手段１２に記憶される（図６のＳ１３）。つまり、記憶手段１１は、電源を遮断すれば消去されるものであるが、動作中にも簡単に記憶させることができるので、一時的にこの記憶手段１１に記憶させるようになっている。また、記憶手段１２は、不揮発性であるので、電源を遮断してもデータは失われずに保持されるので、いろいろな光ディスク２を再生しても、その光ディスク２毎のエラー発生箇所やエラー発生回数を継続的に保持することができ、この記録手段１２に保持されたデータを用いて、例えば図４に示すような表示を行うものである。
【００２３】
Ｓ１３の後には、制御手段７は、表示手段４に図３または、図４に示す表示を行わせる（図６のＳ１４）。続いて、操作手段９による光ディスク２の排出待ちとなる（図６のＳ１５）。
【００２４】
なお、Ｓ１０、Ｓ１４における表示は、その光ディスク２にとって第１回目のリードエラーが発生した場合には、記憶手段１１または１２の情報をもとに制御手段７は図３に示す清浄化メッセージとなる。しかし、同じ光ディスク２で同じ場所で何度もリードエラーが発生した場合には、図４に示すようにデータのダビング指示メッセージがなされることになる。つまり、本実施形態においては、車載用光ディスク装置１を車内に設置したものであるので、特に夏季おいて車内が極めて高温状態になるときには、合成樹脂性の光ディスク２は、熱による変形が発生することがある。したがって、変形初期の間に、光ディスク２のデータをダビングすれば、ダビングすることができた状態であるにも関わらず、そのまま放置することでダビングがまったく不可能な状態となることを回避することができるのである。
【００２５】
次に、図７のＳ７において、操作手段９によって光ディスク２の再生モード以外が選択
された場合には、その光ディスク２に対するリードエラーの発生箇所と発生回数が記憶手段１１から記憶手段１２に書き換えられる（図７のＳ１６）。
【００２６】
次に、制御手段７は、ディスク記録状態判別部１０によって特定の光ディスク２の特定箇所に所定回数以上のリードエラーが発生したことが判別されると、上記図４に示すダビング指示メッセージを表示手段４に表示させるとともに記憶手段１２にその内容を記録する（図７のＳ１７）。
【００２７】
その後、制御手段７は、光ディスク２を停止させ、全体を低消費電力モードに遷移させる（図７のＳ１８）。
【００２８】
続いて、使用者により光ディスク２の再生モードが選択されたか否かが判別され（図５のＳ１９）、再生モードが選択された場合には、Ｓ３へと移行する。また、再生モードが選択されたかった場合には、使用者により操作手段９でイジェクト操作がされた否かが判別され（図５のＳ２０）、イジェクト操作が行われるとＳ１１に移行する。
【００２９】
以上のように、本実施形態は、前記光ディスク２の同一場所における記録状態が継続的に不良状態となったときには、前記表示手段４は、例えば一回目には汚れの清浄化指示メッセージを表示させ、次回にはデータのダビング指示メッセージを表示させる構成としたことであり、この次回メッセージを確認することで使用者は、データの修復可能な状態でダビングを行うことができ、この結果として光ディスク２のデータの損傷を防止することができるのである。
【産業上の利用可能性】
【００３０】
以上のように、本発明においては、前記光ディスクの同一場所における記録状態が継続的に不良状態となったときには、前記表示手段は、例えば一回目には汚れの清浄化指示メッセージを表示させ、次回にはデータのダビング指示メッセージを表示させる構成としたものであるので、データの修復可能な状態でダビングを行うことができ、この結果として光ディスクのデータの損傷を防止することができる。
【００３１】
したがって、家庭用や車載用の光ディスク装置としての活用が期待される。
【符号の説明】
【００３２】
１  車載用光ディスク装置
２  光ディスク
３  トレイ
４  表示手段
５  スピーカ
６  ピックアップ手段
７  制御部
８  サーボ機構
９  操作手段
１０  ディスク記録状態判別部
１１、１２  記憶手段
【図１】
2013182637.tif 000003
【図２】
2013182637.tif 000004
【図３】
2013182637.tif 000005
【図４】
2013182637.tif 000006
【図５】
2013182637.tif 000007
【図６】
2013182637.tif 000008
【図７】
2013182637.tif 000009